(57)【要約】【課題】化粧料塗布具を、容器本体の塗布具収容室に収容する化粧料用容器において、塗布具収容室からの化粧料塗布具の取り出しを容易にする。【解決手段】化粧料用容器１Ａが、棒状の把持部１１を有する化粧料塗布具１０を収容する塗布具収容室４と、化粧料Ａを収容する化粧料収容室３とを有する。塗布具収容室４は、化粧料塗布具１０の把持部１１を載置するための台座２０Ａを有する。塗布具収容室４の長手方向の一対の壁面に、台座２０Ａの載置面２１に連続すると共に上端が外側に向いて傾斜した傾斜部８ａ、８ｂを有し、塗布具収容室４の長手方向と交わる一対の壁面は、その上端を外側に向けて傾斜している。【選択図】図１
2015119929.tif 000002
【特許請求の範囲】
【請求項１】
棒状の把持部を有する化粧料塗布具を収容するための塗布具収容室と、化粧料を収容するための化粧料収容室とを有する化粧料用容器であって、
塗布具収容室は、化粧料塗布具の把持部を載置するための台座を有し、
塗布具収容室の長手方向の一対の壁面に、台座の載置面に連続すると共に上端が外側に向いて傾斜した傾斜部を有し、塗布具収容室の長手方向と交わる一対の壁面は、その上端を外側に向けて傾斜している化粧料用容器。
【請求項２】
塗布具収容室の壁面全周が、上端が外側に向いて傾斜している請求項１記載の化粧料用容器。
【請求項３】
台座の載置面に平坦部を有する請求項１又は２記載の化粧料用容器。
【請求項４】
台座の載置面が下に凸に湾曲している請求項１又は２記載の化粧料容器。
【請求項５】
台座が着脱可能に設けられている請求項１〜４のいずれかに記載の化粧料用容器。
【請求項６】
請求項１〜５のいずれかに記載の化粧料用容器の化粧料収容室に化粧料が収容され、塗布具収容室に化粧料塗布具が収容されている化粧料製品。
【請求項７】
化粧料塗布具は、その把持部の断面が扁平形状である請求項６記載の化粧料製品。
【請求項８】
前記台座の色が、前記化粧料塗布具又はその把持部の色と異なっている請求項６又は７に記載の化粧料製品。
【発明の詳細な説明】
【技術分野】
【０００１】
本発明は、化粧料塗布具の収容室を有する化粧料用容器に関する。
【背景技術】
【０００２】
アイシャドウ、アイブロー、チーク等の化粧料用容器として、化粧料を収容する化粧料収容室と、その化粧料の塗布に使用する化粧料塗布具を収容する塗布具収容室とを有するものが普及している。
このような化粧料用容器は、携帯しやすいように小型化されているので、塗布具の塗布具収容室は狭くなっている。そのため、化粧料塗布具を塗布具収容室から取り出すことは容易でない。
【０００３】
そこで、塗布具収容室内部の側壁面に斜面を突設し、化粧料塗布具を塗布具収容室から取り出すときには、この斜面と反対側の塗布具収容室側壁と化粧料塗布具との間に指を入れ、その指で化粧料塗布具を斜面側に押しつけ、化粧料塗布具が斜面を乗り上がるようにすることが提案されている（特許文献１）。
【先行技術文献】
【特許文献】
【０００４】
【特許文献１】特許４４３１１８８号公報
【発明の概要】
【発明が解決しようとする課題】
【０００５】
しかしながら、塗布具収容室の側壁面に斜面を突設しても、塗布具収容室に収容した化粧料塗布具と、塗布具収容室側壁との間に指を入れにくいために、依然として塗布具収容室から化粧料塗布具を取り出すことは容易でない。また、塗布具収容室の底面に載置されている化粧料塗布具を斜面側に引き寄せても、化粧料塗布具が斜面に突っかかり、化粧料塗布具が取り出し難い場合がある。
【０００６】
このような従来技術に対し、本発明が解決しようとする課題は、化粧料塗布具を収容する塗布具収容室を備えた化粧料用容器において、塗布具収容室からの化粧料塗布具の取り出しを容易にすることに関する。
【課題を解決するための手段】
【０００７】
本発明者は、棒状の把持部を有する化粧料塗布具を塗布具収容室に収容する場合に、塗布具収容室の底面に、化粧料塗布具を載置する台座を設け、塗布具収容室の壁面のうち、塗布具収容室の長手方向の一対の壁面に、台座の載置面に連続すると共に上端が外向きに傾斜した傾斜部を設けると、把持部を台座の載置面から滑らせて引き上げることで容易に化粧料塗布具を塗布具収容室から取り出せること、また、塗布具収容室の長手方向と交わる一対の壁面にも上端が外向きに傾斜した斜面を設けると、化粧料塗布具を化粧料用容器に収容するときに、化粧料塗布具を台座の載置面に合わせて置かなくても化粧料塗布具が台座の載置面に保持されて綺麗に収容できることを見出し、かかる台座と壁面を有する本発明を完成させた。
【０００８】
即ち、本発明は、棒状の把持部を有する化粧料塗布具を収容するための塗布具収容室と、化粧料を収容するための化粧料収容室とを有する化粧料用容器であって、
塗布具収容室は、化粧料塗布具の把持部を載置するための台座を有し、
塗布具収容室の長手方向の一対の壁面に、台座の載置面に連続すると共に上端が外に向いて傾斜した傾斜部を有し、塗布具収容室の長手方向と交わる一対の壁面は、その上端を外側に向けて傾斜している化粧料用容器を提供する。
【０００９】
また、本発明は、上述の化粧料容器の塗布具収容室に化粧料塗布具が収容され、化粧料収容室に化粧料が収容されている化粧料製品を提供する。
【発明の効果】
【００１０】
本発明によれば、化粧料塗布具を、塗布具収容室に収容する化粧料用容器において、塗布具収容室からの化粧料塗布具の取り出しが容易となる。また、化粧料塗布具を塗布具収容室に容易に綺麗に収容することができる。
【図面の簡単な説明】
【００１１】
【図１】図１は、本発明の一実施例を示す化粧料用容器１Ａの（ａ）斜視図、（ｂ）Ｙ−Ｙ断面図、（ｃ）Ｘ１−Ｘ１断面図、及び（ｄ）Ｘ２−Ｘ２断面図である。
【図２】図２は、（ａ）実施例及び（ｂ）従来技術における、化粧料塗布具の取り出し状態を示す、化粧料用容器の断面図である。
【図３】図３は、化粧料用容器１Ａの変形態様の斜視図である。
【図４】図４は、本発明の別の実施例を示す化粧料用容器１Ｂの（ａ）斜視図、（ｂ）Ｙ−Ｙ断面図、及び（ｃ）Ｘ−Ｘ断面図である。
【図５】図５は、本発明の別の実施例を示す化粧料用容器１Ｃの（ａ）斜視図、（ｂ）Ｙ−Ｙ断面図、及び（ｃ）Ｘ−Ｘ断面図である。
【発明を実施するための形態】
【００１２】
以下、図面を参照しつつ、本発明を具体的に説明する。なお、各図中、同一符号は、同一又は同等の構成要素を表している。
【００１３】
図１は、本発明の一実施例の化粧料用容器１Ａの（ａ）斜視図、（ｂ）Ｙ−Ｙ断面図、（ｃ）Ｘ１−Ｘ１断面図、及び（ｄ）Ｘ２−Ｘ２断面図である。この化粧料用容器１Ａは、コンパクトケース型の化粧料用容器であって、薄型の容器本体２に、アイシャドウ、アイブロー、チーク等のケーキ状の化粧料Ａを収容するための化粧料収容室３と、化粧料Ａの塗布に使用するための化粧料塗布具１０を収容する塗布具収容室４を備えている。化粧料用容器１Ａは、化粧料Ａを化粧料収容室３に収容し、化粧料塗布具１０を塗布具収容室４に収容し、化粧料製品となる。
【００１４】
また、容器本体２には、ヒンジで蓋５が接合されている。蓋５に設けられた係着リブ７ａが、容器本体２に設けられた被係止部７ｂと着脱可能に係止することで蓋５が閉じる。化粧料用容器１Ａの使用時における手前側の面にはボタン７が設けられており、ボタン７を塗布具収容室４側に押圧することで係着リブ７ａと被係止部７ｂとの係止状態が解除される。
【００１５】
塗布具収容室４に収容される化粧料塗布具１０は、断面が扁平な直棒状の把持部１１と、把持部の両端部に形成された塗布体１２、１３を有している。ここで、把持部１１の扁平な断面形状としては、矩形、楕円、扁平な円等を挙げることができ、アスペクト比（長径と短径の比）が１１：１０以上であることが好ましく、６：５以上がより好ましい。把持部１１の断面形状を扁平とすることにより、化粧料塗布具１０を収容する化粧料用容器の薄型化の要請に応じることができるので好ましい。
【００１６】
化粧料塗布具１０が、幅の狭い塗布具収容室４の底面に直接載置されていると、把持部１１を指で摘んで塗布具収容室４から化粧料塗布具１０を取り出すことは容易でないが、この化粧料用容器１Ａの塗布具収容室４には、後述するように台座２０Ａと該台座２０Ａの載置面２１に連続する傾斜部８ａ、８ｂが設けられているので、塗布具収容室４からの化粧料塗布具１０の取り出しが容易となり、この取り出しやすさは把持部１１の断面が扁平な場合に顕著となる。したがって、化粧料塗布具１０の把持部１１の断面が扁平であると本発明の意義が高い。
【００１７】
なお、本発明の化粧料用容器が収容する化粧料塗布具の把持部の断面形状は、扁平に限られず、例えば、真円、正方形、三角形その他の多角形とすることができる。
【００１８】
塗布体１２、１３の形成材料に特に制限はなく、例えば、スポンジ、フロッキー加工した樹脂材料、刷毛等から形成することができる。塗布体１２、１３は、それぞれ異なる材質のものを用いてもよく、また異なる形状や大きさに形成していてもよい。
また、塗布体は把持部１１の一端にのみ形成してもよい。
【００１９】
一方、塗布具収容室４は、化粧料塗布具１０の把持部１１を載置するための台座２０Ａを有している。台座２０Ａの載置面２１は、そこに化粧料塗布具１０の把持部１１が安定して載置されるように、塗布具収容室４の長手方向Ｄ１に十分な長さを有する。
【００２０】
塗布具収容室４の壁面のうち、塗布具収容室４の長手方向Ｄ１と交わる塗布具収容室の一対の壁面９ａ、９ｂは、その上端が塗布具収容室４の外側に向いて傾斜している。また、壁面９ａ、９ｂは、台座２０Ａの載置面２１と連続せず、底面６から上向きに傾斜している。壁面９ａ、９ｂの傾斜は、平坦面で形成されていても曲面で形成されていてもよい。
【００２１】
ここで、壁面の上端が塗布具収容室４の外側に向いて傾斜している、または上向きに傾斜しているとは、壁面の傾斜状態が、下方よりも上端が塗布具収容室４の外縁よりに位置していることを意味し、壁面の上端付近では傾斜せずに直立部を有している場合も含む。なお、以降、壁面が傾斜していると記載した場合は、壁面の上端が外側に向いて傾斜している状態を意味する。
【００２２】
塗布具収容室４の壁面のうち、塗布具収容室４の長手方向の一対の壁面には、図１（ｃ）に示すように、傾斜した傾斜部８ａ、８ｂが設けられている。傾斜部８ａ、８ｂは、その上端が塗布具収容室４の外側に向いて傾斜している。この傾斜部８ａ、８ｂは、台座２０Ａの湾曲した載置面２１と滑らかに連続している。言い換えると、載置面２１が短手方向Ｄ２に延設され、塗布具収容室４の長手方向の壁面の上端に達することで、傾斜部８ａ、８ｂが台座２０Ａの載置面２１から連続し、上向きに傾斜している。
【００２３】
この傾斜部８ａ、８ｂの傾斜も、平坦面で形成されていてもよく、曲面で形成されていてもよいが、後述するように塗布具収容室４からの化粧料塗布具１０の取り出しやすさの点から、傾斜部８ａ、８ｂと台座の載置面２１とで連続する面を、下に凸の曲面とすることが好ましい。
【００２４】
なお、台座２０Ａの載置面２１と傾斜部８ａ、８ｂの境界は必ずしも明確ではないが、少なくとも化粧料塗布具１０が台座２０Ａ上で静置しているときに化粧料塗布具１０の把持部１１を支持する部分は載置面２１となる。
【００２５】
この化粧料用容器１Ａによれば、前述のように塗布具収容室４の長手方向Ｄ１と交わる壁面９ａ、９ｂが傾斜しているので、化粧料塗布具１０を塗布具収容室４にしまうときに、塗布体１２、１３が壁面９ａ、９ｂと接触すると化粧料塗布具１０が台座２０Ａの載置面２１にスムーズに導かれ、また、塗布具収容室４の長手方向Ｄ１の壁面にも傾斜部８ａ、８ｂを有し、且つこの傾斜部８ａ、８ｂが台座２０Ａの載置面２１と連続しているので、化粧料塗布具１０が塗布具収容室４内のどこにあっても、化粧料塗布具１０の把持部１１が台座２０Ａの載置面２１に綺麗に収まる。
【００２６】
化粧料塗布具１０が塗布具収容室４に収容された後は、塗布体１２、１３は台座２０Ａによって塗布具収容室４の底面６から浮いており、底面６に接してない。これにより、化粧料塗布具１０を塗布具収容室４に収容している間に化粧料の付着した塗布体１２、１３で塗布具収容室４が汚れることを抑制することができ、仮に、化粧料の付着した塗布体１２、１３で塗布具収容室４が汚れた場合でも、壁面９ａ、９ｂが傾斜していることにより化粧料を容易に除去することができる。
【００２７】
また、化粧料塗布具１０が塗布具収容室４に収容された状態で、把持部１１も塗布具収容室４の底面６よりも高い位置にあるため、塗布具収容室４から化粧料塗布具１０を取り出すときに、化粧料塗布部１０の把持部１１に指を掛けやすくなる。特に、指掛けを容易にし、かつ化粧料用容器１Ａ全体の厚さをコンパクトにする点から、載置面２１の底面６からの高さは、塗布具収容室４の深さの５％以上５０％以下が好ましく、１０％以上３０％以下が更に好ましい。
【００２８】
さらに、化粧料塗布具１０を塗布具収納室４から取り出すときには、傾斜部８ａ、８ｂが載置面２１と滑らかに連続し、壁面（傾斜部８ａ、８ｂ）の上端が外側に向けて傾斜しているため、図２（ａ）に示すように、化粧料収容室３側の傾斜部８ｂ側から化粧料塗布具１０の把持部１１に指を掛け、その指で把持部１１を軽く押さえ、次いで、ボタン７側の傾斜部８ａ側へ把持部１１を載置面２１ないし傾斜部８ａの斜面に沿って滑らせ、矢印方向に引き上げることができる。これにより、容易に化粧料塗布具１０を塗布具収容室４から取り出すことができ、特に、把持部１１の断面が扁平であり、傾斜部８ａの傾斜が下に凸に湾曲していると、化粧料塗布具１０の把持部１１を載置面２１ないし傾斜部８ａの斜面に沿って滑らせることにより、把持部１１を起こすことができるので、把持部１１を摘みやすくなる。この取り出し方法においては、化粧料収容室３側の傾斜部８ｂからだけでなく、ボタン７側の傾斜部８ａから化粧料塗布具１０の把持部１１に指を掛けても良い。また、この取り出し方法によれば、塗布体１２、１３に手が触れないので、化粧料塗布具１０の取り出しにより手が不用意に汚れることを防止できる。
【００２９】
これに対し、図２（ｂ）に示すように、塗布具収容室４の側壁に斜面２３が突設されていても、化粧料塗布具１０の把持部１１が塗布具収容室４の底面６に直接載置されている場合には、指で矢印方向に把持部１１を引き寄せても、把持部１１が斜面２３に突き当たり、そこに引っかかってしまい、化粧料塗布具１０の取り出しが難しくなる。
【００３０】
なお、台座２０Ａの形成材料としては、ポリエチレンテレフタレート、ポリスチレン、ポリエチレン、ポリプロピレン、ＡＳ樹脂、ＡＢＳ樹脂等の合成樹脂が挙げられる。
【００３１】
本発明は種々の態様をとることができる。
例えば、上述の化粧料用容器１Ａにおいて、台座２０Ａは、容器本体２に一体成形で設けてもよく、また塗布具収容室４の底面６に固着してもよく、あるいは図３に示す化粧料用容器１Ａ’のように、容器本体２に対して台座２０Ａを着脱可能としてもよい。着脱可能とするには、例えば、一体成形等でプレート２４上に台座２０Ａを設け、塗布具収容室４にプレート２４を嵌入して載置するだけで、台座２０Ａが塗布具収容室４内の所定の位置に配置されるようにすることができる。この場合、同図に示すように、塗布具収容室４の壁面である傾斜部８ａ、８ｂ、及び壁面９ａ、９ｂの形状をプレート２４に形成してもよい。台座２０Ａを備えたプレート２４を外れ難くするため、塗布具収容室４の底面に対して粘着剤等でプレート２４を仮止めしてもよい。
【００３２】
このように台座２０Ａを着脱可能とすると、容器本体２に組み合わせる化粧料塗布具１０の寸法や形状を変更する場合に、容器本体２の寸法や形状の変更が不要となり、台座２０Ａの変更だけで足りるので好ましい。また、台座２０Ａを着脱可能とすることは、塗布具収容室４及び台座２０Ａの洗浄をしたり、台座２０Ａの色を変更して化粧料用容器１Ａ’の外観や印象を変えることが可能となる点でも好ましい。色を変更する場合、台座２０Ａの色を、化粧料塗布具１０又はその把持部１１の色と異ならせることにより、化粧料塗布具１０又は把持部１１の視認性が向上する。また、使用者の好みに応じて、台座２０Ａを取り外して使用することも可能となる。
【００３３】
前述の化粧料用容器１Ａは、塗布具収容室４の長手方向Ｄ１の壁面のうち、傾斜部８ａ、８ｂ以外の壁面に、壁面が鉛直に起立している部分を有するのに対し、図４の化粧料用容器１Ｂは、塗布具収容室４の壁面全周を傾斜させ、また、台座の載置面２１に、塗布具収容室４の長手方向Ｄ１に延びた平坦部２１ａを設けたものである。
【００３４】
塗布具収容室４の壁面全周を傾斜させることにより、塗布具収容室４に付着した化粧料の清掃がさらに容易となり、また、塗布具収容室４のデザインを向上させることができる。
また、この台座２０Ｂのように載置面２１に平坦部２１ａを設けることにより、化粧料塗布具１０を塗布具収容室４に収容する際に、化粧料塗布具１０を塗布具収容室４内に置くだけで、化粧料塗布具１０の把持部１１が、台座２０Ｂの載置面２１の平坦部２１ａ上に安定して載置されるので好ましい。
【００３５】
図５の化粧料用容器１Ｃは、図４の化粧料用容器１Ｂにおいて、台座の載置面２１の平坦部２１ａの幅を広げたものである。この化粧料用容器１Ｃの台座２０Ｃによれば、載置面２１の平坦部２１ａに２本の化粧料塗布具１０ａ、１０ｂの把持部を並置することができる。
【００３６】
このように、台座は種々の形状をとることができる。また、上述した種々の態様は、適宜組み合わせることができる。
【００３７】
本発明の化粧料用容器はコンパクトケース型に限らない。例えば、ジャー容器の中蓋にスパチュラ等の化粧料塗布具の収納室を設け、その収納室に本発明が使用する台座を設けてもよい。
【符号の説明】
【００３８】
１Ａ、１Ａ’、１Ｂ、１Ｃ    化粧料用容器
２    容器本体
３    化粧料収容室
４    塗布具収容室
５    蓋
６    底面
７    ボタン
７ａ    係着リブ
７ｂ    被係止部
８ａ、８ｂ  傾斜部
９ａ、９ｂ  壁面
１０、１０ａ、１０ｂ    化粧料塗布具
１１    把持部
１２    塗布体
１３    塗布体
２０Ａ、２０Ｂ、２０Ｃ    台座
２１    載置面
２１ａ  平坦部
２４    プレート
Ａ    化粧料
Ｄ１  塗布具収容室の長手方向
Ｄ２  塗布具収容室の短手方向
【図１】
2015119929.tif 000003
【図２】
2015119929.tif 000004
【図３】
2015119929.tif 000005
【図４】
2015119929.tif 000006
【図５】
2015119929.tif 000007